(57)【特許請求の範囲】
【請求項１】
長尺の券紙を所定の長さに切断し、印刷情報を印刷して発券する発券装置において；
前記券紙を長手方向の第１の向き及び前記第１の向きと逆の第２の向きに搬送する搬送手段と；
前記券紙に印刷情報を印刷する印刷手段と；
前記券紙を前記長手方向の所定の長さに切断する切断手段とを備え；
前記搬送手段により前記第１の向きに搬送される前記券紙を前記切断手段により切断したのち、前記印刷手段により印刷するように構成され、
前記搬送手段により前記第１の向きに搬送される前記券紙に前記印刷手段により印刷したのち、前記搬送手段により前記第２の向きに搬送し、前記切断手段により前記券紙を前記所定の長さと異なる長さに切断するように構成された；
発券装置
【請求項２】
長尺の券紙を所定の長さに切断し、印刷情報を印刷して発券する発券装置において；
前記券紙を長手方向の第１の向き及び前記第１の向きと逆の第２の向きに搬送する搬送手段と；
前記券紙に印刷情報を印刷する印刷手段と；
前記券紙を前記長手方向の所定の長さに切断する切断手段とを備え；
前記切断手段は、前記券紙を前記長手方向の第１の所定の長さに切断する第１の切断手段と、前記券紙を前記長手方向の前記第１の所定の長さと異なる第２の所定の長さに切断する第２の切断手段とを有し；
前記搬送手段により前記第１の向きに搬送される前記券紙を前記第１の切断手段により切断したのち、前記印刷手段により印刷するように構成され、
前記搬送手段により前記第１の向きに搬送される前記券紙を前記第２の切断手段により切断したのち、前記印刷手段により印刷するように構成され、
前記搬送手段により前記第１の向きに搬送される前記券紙に前記印刷手段により印刷したのち、前記搬送手段により前記第２の向きに搬送し、前記第１の切断手段により前記券紙を前記第１の所定の長さ及び第２の所定の長さと異なる第３の所定の長さに切断するように構成された；
発券装置
【請求項３】
前記切断手段は、前記券紙の切断を検知する切断検知手段を有する；
請求項１または請求項２に記載の発券装置。
【請求項４】
前記印刷手段は、切断された券紙を搬送する搬送部を有し；
前記切断検知手段により前記券紙の切断が検知されることで前記搬送部による前記切断された券紙の搬送を開始するように構成された；
請求項３に記載の発券装置。
【請求項５】
前記切断手段は、刃を回転させることにより前記券紙を切断するように構成された；
請求項１乃至請求項４のいずれか１項に記載の発券装置。
【請求項６】
長尺の券紙を券の種類に応じて所定の長さに切断し、印刷情報を印刷して発券する発券方法において；
発券する前記券の種類を判定する券種判定工程と；
前記券種判定工程の判定結果から前記券紙を長手方向の第１の所定の長さに切断する第１切断工程と；
前記第１切断工程の後に前記券紙に印刷情報を印刷する第１印刷工程と；
前記券種判定工程の判定結果から前記券紙を前記長手方向の前記第１の所定の長さと異なる第２の所定の長さに切断する第２の切断工程と；
前記第２の切断工程の後に前記券紙に印刷情報を印刷する第２印刷工程と；
前記券種判定工程の判定結果から前記券紙を長手方向の第１の向きに搬送し、
前記券紙に印刷情報を印刷する第３印刷工程と；
前記第３印刷工程の後に前記券紙を長手方向の前記第１の向きと逆の第２の向きに搬送する逆向搬送工程と；
前記逆向搬送工程の後に前記券紙を前記長手方向の前記第１の所定の長さ及び第２の所定の長さと異なる第３の所定の長さに切断する第３切断工程とを備える；
発券方法。
【発明の詳細な説明】
【０００１】
【発明の属する技術分野】
本発明は、乗車券、食券、映画館のチケット、温泉の入場券を発行する自動券売機や券発行機などに内蔵される各種の発券装置及び発券方法に関し、特に、大きさの異なる複数種の券類の発行を行える発券装置、及び発券方法に関する。
【０００２】
【従来の技術】
発券装置は、ロール状に巻かれた券類の券紙(以下ロール紙とする)を発券の際に所定の長さで切断して、切断後に券紙の表面に印字情報を印刷し、発券していた。発券される券は、例えば、駅務で用いられている券売機に内蔵された発券装置である場合には、普通乗車券の大きさのもの(以後小型券という)、定期券の大きさのもの（以後中型券とういう）、企画券などの大きさのもの（以後大型券という）がある。近年、これら各券の発券が１台でできる発券装置が望まれている。そこで、３種類の券を発行できる発券装置では、印字部のサーマルヘッドと切断部のカッタをほぼ各券の長さとなる位置に３つのカッタを設け、印刷開始直前に切断してから印刷するようにしていた。
【０００３】
【発明が解決しようとする課題】
しかし、以上のような従来の発券装置によれば、扱う券種の数に合わせてカッタをほぼ各券の長さとなる位置に設けているので、装置が大型化していた。
【０００４】
そこで本発明は、複数の大きさの券類を発券できるだけでなく、小型である発券装置及び発券方法を提供することを目的とする。
【０００５】
【課題を解決するための手段】
上記目的を達成するために、請求項１に係る発明による発券装置１は、例えば図１に示すように、長尺の券紙２を所定の長さに切断し、印刷情報を印刷して発券する発券装置において；券紙２を長手方向の第1の向きｆ１及び第１の向きｆ１と逆の第２の向きｆ２に搬送する搬送手段２０と；券紙２に印刷情報を印刷する印刷手段５０と；券紙２を前記長手方向の所定の長さに切断する切断手段３０とを備え；搬送手段２０により第１の向きｆ１に搬送される券紙２を切断手段３０により切断したのち、印刷手段５０により印刷するように構成され、搬送手段２０により第１の向きｆ１に搬送される券紙２に印刷手段５０により印刷したのち、搬送手段２０により第２の向きｆ２に搬送し、切断手段３０により券紙２を前記所定の長さと異なる長さに切断するように構成されている。
【０００６】
このように構成すると、搬送手段２０により第１の向きｆ１に搬送される券紙２を切断手段３０により切断したのち、印刷手段５０により印刷することで、前記長手方向に所定の長さを有した券を発券でき、また、搬送手段２０により第１の向きｆ１に搬送される券紙２に印刷手段５０により印刷したのち、搬送手段２０により第２の向きｆ２に搬送し、切断手段３０により券紙２を前記所定の長さと異なる長さに切断することで、前記所定の長さと異なる長さを有した券を発券できるので、複数の大きさの券類を発券できるだけでなく、小型である発券装置を提供できる。
【０００７】
上記目的を達成するために、請求項２に係る発明による発券装置１は、例えば図１に示すように、長尺の券紙２を所定の長さに切断し、印刷情報を印刷して発券する発券装置において；券紙２を長手方向の第1の向きｆ１及び第１の向きｆ１と逆の第２の向きｆ２に搬送する搬送手段２０と；券紙２に印刷情報を印刷する印刷手段５０と；券紙２を前記長手方向の所定の長さに切断する切断手段３０とを備え；切断手段３０は、券紙２を前記長手方向の第１の所定の長さに切断する第１の切断手段３１と、券紙２を前記長手方向の前記第１の所定の長さと異なる第２の所定の長さに切断する第２の切断手段３２とを有し；搬送手段２０により第１の向きｆ１に搬送される券紙２を第１の切断手段３１により切断したのち、印刷手段５０により印刷するように構成され、搬送手段２０により第１の向きｆ１に搬送される券紙２を第２の切断手段３２により切断したのち、印刷手段５０により印刷するように構成され、搬送手段２０により第１の向きｆ１に搬送される券紙２に印刷手段５０により印刷したのち、搬送手段２０により第２の向きｆ２に搬送し、第１の切断手段３１により券紙２を前記第１の所定の長さ及び第２の所定の長さと異なる第３の所定の長さに切断するように構成されている。
【０００８】
このように構成すると、搬送手段２０により第１の向きｆ１に搬送される券紙２を第１の切断手段３１により切断したのち、印刷手段５０により印刷することで、前記長手方向に第１の所定の長さを有する券を発券でき、搬送手段２０により第１の向きｆ１に搬送される券紙２を第２の切断手段３２により切断したのち、印刷手段５０により印刷することで、前記長手方向に第２の所定の長さを有する券を発券でき、搬送手段２０により第１の向きｆ１に搬送される券紙２に印刷手段５０により印刷したのち、搬送手段２０により第２の向きｆ２に搬送し、第１の切断手段３１により券紙２を前記第１の所定の長さ及び第２の所定の長さと異なる第３の所定の長さに切断することで、前記長手方向に第３の所定の長さを有する券を発券できるので、複数の大きさの券類を発券できるだけでなく、小型である発券装置を提供できる。
【０００９】
また、以上の発券装置１では、例えば図４に示すように、切断手段３０は、券紙２の切断を検知する切断検知手段３８を有するようにするとよい。
【００１０】
このように構成すると、切断検知手段３８を有しているので、例えば切断手段３０が動作中でも、券紙２の切断を検知したときに、券紙２に対して次の処理を行うことができ、発券にかかる時間を短縮できることで、発券装置１を高速化できる。
【００１１】
また、以上の発券装置１では、例えば図１に示すように、印刷手段５０は、切断された券紙２を搬送する搬送部５２を有し；切断検知手段３８により券紙２の切断が検知されることで搬送部５２による前記切断された券紙２の搬送を開始するように構成するとよい。
【００１２】
このように構成すると、切断検知手段３８により券紙２の切断が検知されることで搬送部５２による前記切断された券紙２の搬送を開始するように構成されているので、例えば券紙２の切断を検知したときに、印刷手段５０による搬送を開始することができ、発券にかかる時間を短縮できることで、発券装置１を高速化できる。
【００１３】
また、以上の発券装置１では、例えば図５に示すように、切断手段３０は、刃を回転させることにより券紙２を切断するように構成するとよい。
【００１４】
このように構成すると、例えば刃を回転させることで、刃を小型にでき、また動作機構を単純化できるので、発券装置１を小型化及び単純化できる。
【００１５】
上記目的を達成するために、請求項６に係る発明による発券方法は、長尺の券紙を券の種類に応じて所定の長さに切断し、印刷情報を印刷して発券する発券方法において；発券する前記券の種類を判定する券種判定工程と；前記券種判定工程の判定結果から前記券紙を長手方向の第１の所定の長さに切断する第１切断工程と；前記第１切断工程の後に前記券紙に印刷情報を印刷する第１印刷工程と；前記券種判定工程の判定結果から前記券紙を前記長手方向の前記第１の所定の長さと異なる第２の所定の長さに切断する第２の切断工程と；前記第２の切断工程の後に前記券紙に印刷情報を印刷する第２印刷工程と；前記券種判定工程の判定結果から前記券紙を長手方向の第１の向きに搬送し、前記券紙に印刷情報を印刷する第３印刷工程と；前記第３印刷工程の後に前記券紙を長手方向の前記第１の向きと逆の第２の向きに搬送する逆向搬送工程と；前記逆向搬送工程の後に前記券紙を前記長手方向の前記第１の所定の長さ及び第２の所定の長さと異なる第３の所定の長さに切断する第３切断工程とを備える。
【００１６】
【発明の実施の形態】
以下、本発明の実施の形態について、図面を参照して説明する。なお、各図において互いに同一あるいは相当する部材には同一符号または類似符号を付し、重複した説明は省略する。
【００１７】
図１の模式的正面図を参照して、本発明の実施の形態である発券装置１の構成を説明する。発券装置１は、長尺の券紙２を所定の長さに切断し、印刷情報を印刷して発券するものである。本実施の形態では、発券装置１は、駅務で用いられるもの、例えば乗車券を発券する券売機に備えられるものであり、発券装置１で発券される券の種類は、小型券、中型券、大型券の３券種である。ここで、小型券は、例えば近距離用の乗車券、精算証明券に用いられるものである。中型券は、例えば遠距離（長距離）用の乗車券、特急券に用いられるものである。大型券は、例えば周遊券等の企画券、券の購入に関する領収書や各券の発券履歴等の発券データを印字するときに用いられるものである。なお発券される券については図３を参照して後でさらに説明する。発券装置１は、保持部１０と、券紙２を長手方向の第1の向き及び第１の向きと逆の第２の向きに搬送する搬送手段としてのフィード部２０と、券紙２を長手方向の所定の長さに切断する切断手段としての切断部３０と、券紙２に印刷情報を印刷する印刷手段としての印字部５０と、メイン搬送部６０と、磁気処理部７０と、放出部９０とを含んで構成される。また各構成要素の詳細については後述する。また券紙２は、発券装置１で発券される券を含む概念である。以下、発券装置により発券される券を特に区別しないときには、単に券紙２という。
【００１８】
ここでは、第１の向きは、保持部１０から切断部３０へ券紙２を搬送する方向ｆ１（図中略水平左方向）、第２の向きは、第１の向きｆ１と逆の方向ｆ２（図中略水平右方向）として説明する。以下、第１の向きｆ１への搬送を正搬送、第２の向きｆ２への搬送を逆搬送として説明する。
【００１９】
図２を参照して、券紙２について説明する。図２（ａ）は券紙２がロール状に巻かれたロール紙２ａの状態を示す斜視図であり、図２（ｂ）は券紙の表面を示す平面図、図２（ｃ）は券紙の裏面を示す裏面図である。図示のように、券紙２は、表面に印刷情報、裏面に磁気情報の書き込みが可能である長尺の帯状の券紙である。ここでは、券紙２は、幅が５８ｍｍのものを用いる。また券紙２は、ロール状に巻かれたロール紙２ａの状態で、保持部１０に券紙２の先端部が引き出し可能な状態で装填されている。言い換えれば、券紙２は、先端部がロール紙２ａから出された状態であり、保持部１０から脱着可能になっている。
【００２０】
さらに、図３を参照して、発券装置１により発券される券について説明する。図３（ａ）に小型券３ａ、図３（ｂ）に中型券３ｂ、図３（ｃ）に大型券３ｃを示す。小型券３ａ、中型券３ｂ、大型券３ｃは、券紙２を切断部３０によりそれぞれの大きさに切断することで形成される。各券の券紙２の長手方向の長さは、小型券３ａが第１の所定の長さ、中型券３ｂが第２の所定の長さ、大型券３ｃが第３の所定の長さである。ここでは、第１の所定の長さは３０ｍｍ、第２の所定の長さは８５ｍｍ、第３の所定の長さは１２０ｍｍである。また、小型券３ａは、中型券３ｂ、大型券３ｃに対して磁気情報の記録方向が垂直であるので、後述するターン部８０で９０°回転させた後に磁気処理部７０により磁気情報が記録するようにするとよい。以下、小型券３ａ、中型券３ｂ、大型券３ｃを特に区別しないときには単に券紙２という。
【００２１】
図１に戻って、発券装置１についてさらに説明する。保持部１０は、ロール紙２ａを保持するものであり、ロール紙２ａを回転可能に保持する支持軸１１と、ロール紙２ａにテンションを与えるテンションローラ１２ａ、１２ｂと、ロール紙の有無を検知するロール紙無しセンサ１４とを含んで構成されている。支持軸１１と、テンションローラ１２ａ、１２ｂと、ロール紙無しセンサ１４とは、保持板１５に取り付けられている。また、テンションローラ１２ａ、１２ｂは、回転可能に保持板１５に取り付けられている。支持軸１１は、保持部１０のおよそ中央部に配置されている。またテンションローラ１２ａ、１２ｂは、テンションローラ１２ａが保持部１０のおよそ図中右端部の上端に、テンションローラ１２ｂが保持部１０のおよそ図中右端部の下端に配置されている。テンションローラ１２ａ、１２ｂについては、図８を参照して後で詳しく説明する。また、以下テンションローラ１２ａ、１２ｂを特に区別しないときには単にテンションローラ１２という。
【００２２】
さらに、保持部１０は、ロール紙２ａを保持した状態で、発券装置１からＸ１方向（図中水平方向）に引き出し可能な構成となっている。これにより、発券装置１は、ロール紙２ａを容易に装填可能であるので、例えばロール紙２ａ（券紙２）の補充といった装置の運用が簡便である。保持部１０は、券紙２の先端部が保持部１０の下方に引き出せるように構成されている。また、ここでは、保持部１０は、ロール紙２ａが１巻装填できるもので説明しているが、後述のように複数巻例えば図１３を参照して後で説明する２巻装填できるものを用いてもよい。
【００２３】
フィード部２０は、例えば保持部１０に保持されたロール紙２ａを、即ち保持部１０から印字部５０までの間の券紙２を搬送するものである。フィード部２０は、第１のフィード部２１と、第２のフィード部２２とを含んで構成される。第１フィード部２１は、保持部１０の図中およそ下方に取り付けられている。第２フィード部２２は、第１フィード部２１の図中およそ水平方向左に併設されている。
【００２４】
第１フィード部２１は、保持部１０のおよそ下方に取り付けられている。第１フィード部２１は、券紙２を回転により搬送する補充フィードローラ２３と、補充フィードローラ２３と対に設けられ、補充フィードローラ２３に従動して回転する自由ローラ２４と、補充フィードローラ２３を駆動する第１フィード部駆動手段としての第１フィード部駆動モータ２５と、第１フィード部駆動モータ２５による駆動力を補充フィードローラ２３に伝達するベルト２５ａ（図中破線で表示）と、券紙２の先端部の位置を検出する位置センサ２６ａ、２６ｂとを含んで構成されている。位置センサ２６ａは、補充フィードローラ２３の図中右側に取り付けられている。位置センサ２６ａは、券紙２の先端部が補充フィードローラ２３と自由フィードローラ２４との間に挟み込ませようとする動作を検知するものである。また、位置センサ２６ｂは、補充フィードローラ２３の図中左側に設けられている。位置センサ２６ｂは、券紙２の先端部が、補充フィードローラ２３を通過し、補充フィードローラ２３と第２フィード部２２の中間部の通過を検知するものである。
【００２５】
第１フィード部２１は、保持部１０のロール紙２ａを装填するときに、補充フィードローラ２３と自由ローラ２４の間に、保持部１０から引き出された券紙２の先端部を挟み込ませることで、位置センサ２６ａがそれを検知するように構成されている。そして、第１フィード部２１は、位置センサ２６ａの検知により第１フィード部駆動モータ２５を駆動することでベルト２５ａを介して補充フィードローラ２３を駆動し、券紙２を搬送するように構成されている。言い換えれば、第１フィード部２１は、ロール紙２ａの装填の際に、作動し発券装置１に券紙２の自動装填を行うものである。また、第１フィード部２１は、券紙２の装填が完了した後には、補充フィードローラ２３を駆動せず、第２フィード部２２による券紙２の搬送に従動するように構成されている。
【００２６】
第２フィード部２２は、フィードローラ２７と、フィードローラ２７と対に設けられる自由ローラ２８と、フィードローラ２７を駆動する第２フィード部駆動手段としての第２フィード部駆動モータ２９と、第２フィード部駆動モータ２９による駆動を伝達するベルト２９ａ（図中破線で表示）とを含んで構成される。
【００２７】
さらに、フィードローラ２７は、第１フィードローラ２７ａと第２フィードローラ２７ｂとから構成され、自由ローラ２８は、第１フィードローラ２７ａに対応する第１自由ローラ２８ａと、第２フィードローラ２７ｂに対応する第２自由ローラ２８ｂとから構成される。第１フィードローラ２７ａは、後述の第２カッタ部３２の第１フィード部２１側（図中右側）に配置されており、第２フィードローラ２７ｂは、後述の第１カッタ部３１と第２カッタ部３２との間（図中第１フィードローラ２７ａの左側）に配置されている。
【００２８】
切断部３０は、券紙２を長手方向の第１の所定の長さに切断する第１の切断手段としての第１カッタ部３１と、券紙２を長手方向の前記第１の所定の長さと異なる第２の所定の長さに切断する第２の切断手段としての第２カッタ部３２とを含んで構成される。切断部３０は、第２フィード部２２とおよそ同じ位置に配置されている。第１カッタ部３１は、図中左側即ち第２フィードローラ２７ｂの左側に配置されており、第２カッタ部３２は、図中右側即ち第２フィードローラ２７ｂの右側に配置されている。なお、切断部３０については、図４を参照して後で詳しく説明する。
【００２９】
印字部５０は、切断部３０の図中左側に配置されている。印字部５０は、印刷情報を印刷するサーマルヘッド５１と、切断された券紙２を搬送する搬送部としての印刷搬送部５２とを含んで構成される。印刷搬送部５２は、サーマルヘッド５１に対向して設けられ、回転により券紙２を搬送するプラテンローラ５３と、プラテンローラ５３を駆動する印字部駆動手段としてのプラテンローラ駆動モータ５４と、プラテンローラ駆動モータ５４による駆動を伝達するベルト５４ａ（図中破線で表示）とを有している。また印字部５０は、サーマルヘッド５１に接触する券紙２を検出する券紙センサ（図示せず）を有している。また、印字部５０は、フィード部２０との搬送速度の同期がとれるように構成されている。印字部５０は、プラテンローラ５３により券紙２を搬送しながらサーマルヘッド５１とプラテンローラ５３との接触面でサーマルヘッド５１により券紙２に印刷を施す。また印字部５０は、後述の切断部３０の切断完了センサ３８により券紙２の切断が検知されることで印刷搬送部５２による切断部３０により切断された券紙２の搬送を開始するように構成されている。
【００３０】
さらに印字部５０は、券紙２の先端部が第１の切断位置Ｃ１と、第２の切断位置Ｃ２とにあることを検出できるように構成されている。第１の切断位置Ｃ１、第２の切断位置Ｃ２については図４を参照してあとで説明する。印字部５０は、券紙２の先端部が第１の切断位置Ｃ１の位置にあることを、例えばサーマルヘッド５１が有する不図示のセンサにより検出する。
【００３１】
また、前述のように印字部５０は、券紙２の先端部が第２の切断位置Ｃ２の位置にあることを検出する。この検出は、例えば不図示の遮光型センサにより行うとよいが、これに限られるものではなく、例えば、プラテンローラ駆動モータ５４にパルスモータを用いることで券紙２の送り量（搬送量）が計れるように構成し、先端部が第２の切断位置Ｃ２の位置にあることを送り量から検出してもよい。なお、このようにすると、小型券３ａの長さより長い任意の長さを有した券を発券することができる。これは、例えば大型券３ｃより長い券を発券できるだけでなく、券の購入に関する領収書や発券データ等を大型券とは異なる長さの券で発券できるので非常に有利である。
【００３２】
メイン搬送部６０は、券紙２を印字部５０から放出部９０まで搬送するものである。メイン搬送部６０は、図中印字部５０の左側から鉛直方向に延設されている。メイン搬送部６０は、複数の駆動ローラ６２と、複数の従動ローラ６１と、駆動ローラ６２を駆動するメイン搬送部駆動手段としてのメイン搬送部駆動モータ６３と、メイン搬送部駆動モータによる駆動を複数の駆動ローラ６２に伝達する駆動ベルト６４（図中破線で表示）と、駆動ローラ６２と従動ローラ６１とに張架され、券紙２を挟持して搬送する搬送ベルト６５とを含んで構成される。
【００３３】
磁気処理部７０は、券紙２の裏面（図２参照）に書き込まれる磁気情報の処理を行うものである。磁気情報の処理は、例えば、券紙２への磁気情報の書き込みや券紙２へ書き込んだ磁気情報を読み出すことで書き込んだ磁気情報の確認を行うことである。磁気処理部７０は、メイン搬送部６０の搬送経路のおよそ中央部分に配置されている。磁気処理部７０は、券紙２に磁気情報を書き込む書込用磁気ヘッド７１と、券紙２に書き込まれた磁気情報を読み取る読取用磁気ヘッド７２と、書込用磁気ヘッド７１に対向するピンチローラ７１ａと、読取用磁気ヘッド７２に対向するピンチローラ７２ａとを含んで構成される。
【００３４】
放出部９０は、券紙２を券として装置外へ放出し、また、利用者から券、例えば誤購入した券等の受け入れを行うものである。言い換えれば、券の発券を受ける利用者に券紙２を供給し（受け渡し）、必要に応じて発券した券の挿入を許可する（受け入れる）ものである。放出部９０は、メイン搬送部６０の印字部５０側と逆の端部（図中メイン搬送部６０の左上部）に配置されている。放出部９０は、メイン搬送部６０により搬送された券紙２を受け取る１対のピットローラ９１と、ピットローラ９１から放出された券紙２を受ける受皿９２とを含んで構成される。利用者は、放出部９０から券紙２を取り去ることができ、また必要に応じて券紙２を挿入することができる。
【００３５】
また、発券装置１は、小型券３ａを搬送方向に対して回転させるターン部８０を備えている。ターン部８０は、メイン搬送部６０の搬送経路の磁気処理部７０と印字部５０との間に配置されている。ターン部８０は、メイン搬送部６０により搬送される小型券３ａを搬送方向に対して９０°回転させるものである。
【００３６】
さらに、小型券３ａを発券する場合には、発券装置１は、フィード部２０により第１の向きｆ１に搬送される券紙２を第１カッタ部３１により切断したのち、印字部５０により印刷するように構成されている。また、中型券３ｂを発券する場合には、発券装置１は、フィード部２０により第１の向きｆ１に搬送される券紙２を第２カッタ部３２により切断したのち、印字部５０により印刷するように構成されている。また、大型券３ｃを発券する場合には、発券装置１は、フィード部２０により第１の向きｆ１に搬送される券紙２に印字部５０により印刷したのち、フィード部２０により第２の向きｆ２に搬送し、第１カッタ部３１により券紙２を大型券３ｃの長さ（第３の所定の長さ）に切断するように構成されている。
【００３７】
図４の正面図を参照して、切断部３０（第１カッタ部３１、第２カッタ部３２）について説明する。また図４では、第１カッタ部３１は券紙２の切断した状態、第２のカッタ部３２は切断待機の状態を示してある。第１カッタ部３１、第２カッタ部３２は、図中右側から、第２カッタ部３２、第１カッタ部３１の順に配置されている。また、配置されている位置は、印字部５０のサーマルヘッド５１とプラテンローラ５３との接触面（図中サーマルヘッド５１とプラテンローラ５３との接点）を基準とすると、この接触面と第１カッタ部３１の切断面の位置との距離がおよそ小型券３ａの長さ（３０ｍｍ）であり、第２カッタ部３２の切断面の位置との距離がおよそ中型券３ｂの長さ（８５ｍｍ）である。
【００３８】
第１の切断位置Ｃ１は、券紙２の先端部がサーマルヘッド５１とプラテンローラ５３とに挟み込まれる位置である。この状態で、券紙２の先端部は、第１カッタ部３１の切断面の位置から小型券３ａの長さだけ、また第２カッタ部３２の切断面の位置から中型券３ｂの長さだけ印字部５０側に出ている。即ち、券紙２の先端部が第１の切断位置Ｃ１にあるときに、小型券３ａは、第１カッタ部３１により券紙２を切断すれば形成でき、中型券３ｂは、第２カッタ部３２により券紙２を切断すれば形成できる。また、第２の切断位置Ｃ２は、搬送経路上で、第１カッタ部３１の切断面の位置から印字部５０側に大型券３ｃの長さ（１２０ｍｍ）離れた位置にある。即ち、大型券３ｃは、券紙２の先端部が第２の切断位置Ｃ２にあるときに第１カッタ部３１により券紙２を切断すれば形成できる。
【００３９】
第１のカッタ部３１は、刃を回転させることにより券紙２を切断するように構成されている。第１カッタ部３１は、券紙２を切断するカッタ３５と、カッタ３５を駆動するカッタ駆動モータ３６と、カッタ駆動モータ３６の動力をカッタ３５に伝達するリンク機構３７と、券紙２の切断を検知する切断検知手段としての切断完了センサ３８と、切断待機状態を検出する切断待機センサ３９とを含んで構成される。さらに第１カッタ部３１は、カッタ駆動モータ３６の回転によりカッタ３５が回転し、カッタ３５が切断状態にあることを切断完了センサ３８により、カッタ３５が切断待機状態にあることを切断待機センサ３９により検知できるように構成されている。切断完了センサ３８、切断待機センサ３９は、例えばセンサの投光部により投光された光の受光、遮光をセンサの受光部により検出する遮光型センサである。
【００４０】
図５、図６を参照して、カッタ３５について説明する。図５（ａ）は、切断待機状態を示す斜視図であり、図５（ｂ）は、券紙２の切断状態を示す斜視図である。カッタ３５は、回転刃４１と、固定刃４２と、本体４３とを含んで構成される。図６に示すように、回転刃４１は、円筒形状の部材のＡ−Ａ’断面の形状がおよそ半円になるように切り欠いた形状であり、この切り欠きにより刃部４１ａが形成されている。さらに、刃部４１ａは、回転刃４１の軸線（円筒形の軸線）に対して傾斜させるとよい。また、回転刃４１の両端部には軸４１ｂが形成されている。このような回転刃４１を用いることで、刃を小型化できる。
【００４１】
回転刃４１は、軸４１ｂを介して本体４３に回転可能に取り付けられている。また固定刃４２は、略矩形の形状をしており、１辺に刃部４２ａが形成されている。固定刃４２は、刃部４２ａに、回転刃４１の刃部４１ａが回転により当接可能な位置に取り付けられている。即ち、カッタ３５は、回転刃４１の刃部４１ａと固定刃４２の刃部４２ａとの隙間に存在する券紙２を回転刃４１の回転により切断できるように構成されている。また、回転刃４１の刃部４１ａと固定刃４２の刃部４２ａとの当接位置が第１カッタ部３１の切断面の位置になる。
【００４２】
また、図５（ａ）に示すように、切断を待機している状態のカッタ３５は、回転刃４１の刃部４１ａと固定刃４２の刃部４２ａとの間に隙間が形成された状態である。また券紙２は、カッタ３５がこの切断待機状態のときには、カッタ３５を通過できる。カッタ３５は、この切断待機状態から回転刃４１が図中Ｒ１方向に回転することで、刃部４１ａと刃部４２ａとを当接させながら券紙２を切断することができる。さらに、図５（ｂ）に示すように、切断した状態即ち切断を完了した状態のカッタ３５は、刃部４１ａと刃部４２ａとの隙間がない状態または、この状態からさらに少しだけＲ１方向に回転した状態である。カッタ３５は、この切断完了状態から回転刃４１が図中Ｒ２方向に回転することで、切断待機状態（図５（ａ））に戻ることができる。
【００４３】
図７を参照して、第１カッタ部３１についてさらに説明する。図７（ａ）は、切断待機状態を示す裏面図であり、図７（ｂ）は、券紙２の切断状態を示す裏面図である。リンク機構３７は、円板の円周部分の一部に切欠部３７ｂが形成された遮光板３７ａを有しており、遮光板３７ａは、カッタ駆動モータ３６の出力軸３６ａと同軸に固定されている。リンク機構３７は、カッタ駆動モータ３６の出力軸３６ａにより回転される遮光板３７ａの回転をカッタ３５のＲ１方向またはＲ２方向の回転に変換して伝達するものである。このように、カッタ駆動モータ３６の出力軸３６ａの回転により、回転刃４１の回転させることで、カッタ駆動モータ３６の出力軸３６ａの回転を直線運動に変換する場合と比較して、第１カッタ部３１の機構を単純化及び小型化できる。
【００４４】
さらに、リンク機構３７は、カッタ３５が切断待機状態から遮光板３７ａが、半回転したときにカッタ３５が切断状態に、１回転したときに再び切断待機状態になるようにカッタ３５に接続されている。言い換えれば、遮光板３７ａの１回転がカッタ３５の１周期の動きに対応している。さらに、遮光板３７ａの切欠部３７ｂは、カッタ３５が切断状態のときに、切断完了センサ３８の位置と重なるように形成されている。即ち、遮光板３７ａの切欠部３７ｂの位置は、カッタ３５が切断待機状態のときに、切断待機センサ３９の位置と重なる。
【００４５】
また、切断完了センサ３８、切断待機センサ３９は、遮光板３７ａの円周部分の一部を挟み込むようにして、遮光板３７ａの中心を通る直線上に各々が対向するように１対配置されている。ここでは、切断完了センサ３８が円周部分の図中およそ２時の位置に、切断待機センサ３９が円周部分の図中およそ７時の位置に配置されている。
【００４６】
第１カッタ部３１は、カッタ３５の切断待機状態から、カッタ駆動モータ３６の出力軸３６ａをＲ３方向（図中時計回り）に回転させることで、リンク機構３７により回転刃４１をＲ１方向に回転させて券紙２を切断するように構成されている（図７（ａ））。そして、第１カッタ部３１は、カッタ３５が切断状態のときに切断完了センサ３８によりそれを検知し、カッタ駆動モータ３６の出力軸３６ａをカッタ３５の切断状態からさらにＲ３方向に回転させ続けることで、リンク機構３７により回転刃４１をＲ２方向に回転させて、カッタ３５を切断待機状態に戻すように構成されている（図７（ｂ））。さらに、第１カッタ部３１は、出力軸３６ａをＲ３方向に回転させ続け、カッタ３５が切断待機状態のときに切断待機センサ３９によりそれを検知し、出力軸３６ａの回転を停止するように構成されている（図７（ａ））。また以上ではカッタ駆動モータ３６の出力軸３６ａの回転は、Ｒ３方向として説明したが逆回転であってもよい。
【００４７】
また、第２カッタ部３２は、上述した第１カッタ部３１と同じ構成であるので、説明は省略する。
【００４８】
図８を参照して、テンションローラ１２について説明する。テンションローラ１２は、回転軸が挿入される貫通孔１２ｂが加工されたボス部１２ａと、ボス部１２ａに取り付けられた略円弧状の５枚の弾性部材の羽根１２ｃを含んで構成される。羽根１２ｃはボス部１２ａから外周部へ湾曲して放射状に広がり、先端部において、二点鎖線にて示す仮想の円１２ｄに内接するよう配置されている。羽根１２ｃ’は、券紙２にテンションがかかった場合に、券紙２から与えられるテンションによって羽根１２ｃが弾性変形した状態を表し、弾性変形した羽根１２ｃ’が内接する円１２ｄ’の半径は円１２ｄの半径より小さい。
【００４９】
ところで、新しいロール紙２ａ（券紙２）を保持部１０に装填した場合や、装填後に発券動作が行われる場合には、ロール紙２ａの外径が大きく、ロール紙２ａの慣性モーメント（ＧＤ２）が大きいため、ロール紙２ａが回転し、必要な長さの券紙２を送り出すのに時間がかかる。しかし、テンションローラ１２は、券紙２にテンションがかかった場合に、テンションのかかった羽根１２ｃが図に示す羽根１２ｃ’のように弾性変形するので、ロール紙２ａが十分に回転していない状況であっても券紙２が送り出される。よって、装填時及び発券時のいずれの場合でも第１フィード部２１の補充フィードローラ２３、及び第２フィード部２２のフィードローラ２７がスリップを起こすことがなく、スムーズに券紙２を送り出すことができる。さらに、第２フィード部２２による第２の向きｆ２への逆搬送のときには、羽根１２ｃが図に示す羽根１２ｃ’のように弾性変形していることで、この弾性変形により逆搬送による券紙２のたるみを吸収できる。
【００５０】
また、羽根１２ｃが半径方向に弾性変形するので、テンションローラ１２の取り付け姿勢によって羽根１２ｃの変形モードが変わることがなく、テンションローラ１２の取り付けに際してテンションローラ１２の調整が不要となり、発券装置１の組立時間を減少させることができる。また、羽根１２ｃがテンションローラ１２の一部を構成する構造としたので、テンションローラ１２の取り付けスペースを減少させることができ、発券装置１を小型化することができる。
【００５１】
図１を参照して、発券装置１による発券方法について説明する。発券方法は、長尺の券紙を所定の長さに切断し、印刷情報を印刷して発券する発券方法において、前記券紙を長手方向の第1の向きに搬送する第１搬送工程と、前記第１搬送工程の後に前記券紙を前記長手方向の第１の所定の長さに切断する第１切断工程と、前記第１切断工程の後に前記券紙に印刷情報を印刷する第１印刷工程と、前記券紙を長手方向の第1の向きに搬送する第２搬送工程と、前記第２搬送工程の後に前記券紙を前記長手方向の前記第１の所定の長さと異なる第２の所定の長さに切断する第２の切断工程と、前記第２の切断工程の後に前記券紙に印刷情報を印刷する第２印刷工程と、前記券紙を長手方向の第1の向きに搬送する第３搬送工程と、前記第３搬送工程中に前記券紙に印刷情報を印刷する第３印刷工程と、前記第３印刷工程の後に前記券紙を長手方向の前記第１の向きと逆の第２の向きに搬送する逆向搬送工程と、前記逆向搬送工程の後に前記券紙を前記長手方向の前記第１の所定の長さ及び第２の所定の長さと異なる第３の所定の長さに切断する第３切断工程とを備えるようにする。
【００５２】
続けて、発券装置１の作用について詳しく説明する。まず、券紙２の装填の際の動作について説明する。発券装置１の運用を行っている係員は、ロール紙２ａ（券紙２）の先端部を第１フィード部２１に挿入する。第１フィード部２１は、挿入された券紙２の先端部を、位置センサ２６ａが先端部で遮光されることにより検知する。第１フィード部２１は、位置センサ２６ａによる券紙２の先端部の検知により第１フィード部駆動モータ２５を回転駆動し、補充フィードローラ２３を、券紙２を正搬送する方向に回転させる。これにより券紙２は、補充フィードローラ２３と自由ローラ２４とに挟み込みこまれ、位置センサ２６ｂを先端部で遮光する。
【００５３】
発券装置１は、位置センサ２６ｂによる券紙２の先端部の検出により、第２フィード部２２の第２フィード部駆動モータ２９と、印字部５０のプラテンローラ駆動モータ５４とを同期して回転駆動する。そして、第２フィード部駆動モータ２９により第１フィードローラ２７ａと第２フィードローラ２７ｂとが、プラテンローラ駆動モータ５４によりプラテンローラ５３が、券紙２を正搬送する方向に回転される。券紙２は、第１フィードローラ２７ａと第１自由ローラ２８ａとに挟み込まれ、さらに第２フィードローラ２７ｂと第２自由ローラ２８ｂとに挟み込まれ正搬送される。さらに券紙２は、プラテンローラ５３とサーマルヘッド６１とに挟み込まれて正搬送される。そして発券装置１は、券紙２の先端部の位置センサ２６ｂの通過後から所定時間が経過した後に、第１フィード部駆動モータ２５、第２フィード部駆動モータ２９、プラテンローラ駆動モータ５４をそれぞれ停止する。
【００５４】
そして発券装置１は、各モータを停止させた後に、切断部３０の第１カッタ部３１により券紙２を切断する。切断された券紙２の先端部分は図示しない廃券皿等に収納される。なお、券紙２のロール紙２ａ側は、第１カッタ部３１が切断待機状態の戻るまで、フィード部２０により停止状態で保持され、その切断待機センサ３９（図７参照）により第１カッタ部３１が切断待機状態に戻ったことを検知すると、第２フィード部２２により所定の待機位置まで正搬送される。発券装置１は、これで券紙２の装填動作を終了し、発券を待機する。ここで、所定の待機位置とは、印字部５０のサーマルヘッド５１とプラテンローラ５３との接触面から第１カッタ部３１側に１〜２ｍｍ程度の位置である（図４参照）。このように、発券装置１は、券紙２の先端部をサーマルヘッド５１とプラテンローラ５３との間に挟み込まない状態で待機することで、券紙２の先端部をサーマルヘッド５１とプラテンローラ５３との間に挟み込んだ状態で待機することにより発生する券紙２の先端部の変形をなくすことができる。これにより、発券装置１は、例えば券紙２の先端部の変形による搬送中の不具合をなくすことができる。
【００５５】
次に、図９を参照して発券装置１の発券動作の作用について説明する。まず、発券待機（Ｓ０）の状態にある発券装置１は、外部から発券を行う旨の信号の入力がされる。券種判定工程として、発券装置１は、入力信号から発券する券の種類を判定する。この判定は、まず発券する券が小型券３ａ（図３参照）であるかの判定が行われる（Ｓ１）。発券する券が小型券３ａでない場合には（Ｓ１がＮ）、次に中型券３ｂ（図３参照）であるかの判定が行われる（Ｓ２）。そして、発券する券が中型券３ｂでない場合には（Ｓ２がＮ）、大型券３ｃ（図３参照）であるかの判定が行われる（Ｓ３）。さらに、発券する券が大型券３ｃでない場合には（Ｓ３がＮ）、発券待機（Ｓ０）の状態に戻る。以下、図を参照して、各券の発券動作について説明する。
【００５６】
図１０を参照して、発券する券が小型券３ａであると判定された場合の動作について説明する。Ｓ１で小型券３ａであると判定された場合には（図９のＳ１がＹ）、発券装置１は、券紙２を長手方向の第1の向きに搬送する第１搬送工程として、第１の切断位置Ｃ１（図４参照）まで、券紙２を第２フィード部２２及び印字部５０により正搬送する（Ｓ１０１）。
【００５７】
発券装置１は、券紙２の先端部が第１の切断位置Ｃ１に到達すると、第２フィード部２２及び印字部５０の正搬送を停止する（Ｓ１０３）。即ち、券紙２の正搬送が停止する。券紙２の正搬送を停止すると、第１搬送工程の後に券紙２を長手方向の第１の所定の長さに切断する第１切断工程として、発券装置１は、第１カッタ部３１により券紙２の切断を開始する（Ｓ１０５）。そして券紙２の切断が終了し、第１カッタ部３１の切断完了センサ３８（図７参照）により第１カッタ部３１の切断完了状態が検出される（Ｓ１０７）。第１カッタ部３１の切断完了状態が検出されると、印字部５０による券紙２の正搬送を開始する。また、第１カッタ部３１の切断動作は、そのまま継続され、切断待機センサ３９（図７参照）により第１カッタ部３１が切断待機状態に戻ったことが検出されると、切断動作を終了する（Ｓ１０９）。
【００５８】
さらに印字部５０は、第１切断工程の後に券紙２に印刷情報を印刷する第１印刷工程として、券紙２の先端部が印刷開始位置に到達すると、サーマルヘッド５１に所定の印加電圧を掛けることで、プラテンローラ５３による正搬送に同期した状態で、券紙２の表面に印刷情報を印刷する（Ｓ１１１）。発券装置１は、印字部５０による券紙２の表面への印刷が完了すると、印字部５０の正搬送の継続に加え、メイン搬送部６０の放出部９０方向への搬送駆動を開始する（Ｓ１１３）。そして、券紙２は、印字部５０からメイン搬送部６０へと受け渡される。この受け渡しが完了すると、印字部５０は正搬送駆動を停止する（Ｓ１１５）。
【００５９】
ロール紙２ａ側の券紙２は、印字部５０による印字完了までは、第２フィード部２２により停止状態で保持され、第１カッタ部３１が切断待機状態であることを前提に、Ｓ１１３の券紙２のメイン搬送部６０への受け渡しの際に、第２フィード部２２により所定の待機位置（図４参照）まで正搬送される（Ｓ１１７）。そして第２フィード部２２は、券紙２を所定の待機位置まで正搬送した後停止する。
【００６０】
券紙２を受け取ったメイン搬送部６０は、搬送ベルト６５に券紙２を挟持して放出部９０方向へ搬送する。券紙２は、メイン搬送部６０により搬送されているときに、まずターン８０により搬送方向に対して９０°回転される（Ｓ１１９）。さらに、券紙２は、メイン搬送部６０により搬送され、磁気処理部７０の書込用磁気ヘッド７１で磁気情報が書き込まれ、さらに読取用磁気ヘッド７２で書き込まれた磁気情報を読み込んで、書き込まれた磁気情報が正しいことが確認される（Ｓ１２１）。そしてメイン搬送部６０は、さらに券紙２を搬送して放出部９０に受け渡す。券紙２を受け渡された放出部９０は、受皿９２に券紙２を放出する（Ｓ１２３）。これで、小型券３ａの発券が完了する。そして、発券装置１は、メイン搬送部６０の搬送駆動を停止し、発券待機の状態に戻る（Ｓ１２５）。
【００６１】
図１１を参照して、発券する券が中型券３ｂであると判定された場合の動作について説明する。Ｓ２で中型券３ｂであると判定された場合には（図９のＳ２がＹ）、発券装置１は、券紙２を長手方向の第1の向きに搬送する第２搬送工程として、第１の切断位置Ｃ１（図４参照）まで、券紙２を第２フィード部２２及び印字部５０により正搬送する（Ｓ２０１）。
【００６２】
発券装置１は、券紙２の先端部が第１の切断位置Ｃ１に到達すると、第２フィード部２２及び印字部５０の正搬送を停止する（Ｓ２０３）。即ち、券紙２の正搬送が停止する。券紙２の正搬送を停止すると、第２搬送工程の後に券紙２を長手方向の第１の所定の長さと異なる第２の所定の長さに切断する第２切断工程として、発券装置１は、第２カッタ部３２により券紙２の切断を開始する（Ｓ２０５）。そして券紙２の切断が終了し、第２カッタ部３２の切断完了センサ３８により第２カッタ部３２の切断完了状態が検出される（Ｓ２０７）。第２カッタ部３２の切断完了状態が検出されると、印字部５０による券紙２の正搬送を開始する。また、第２カッタ部３２の切断動作は、そのまま継続され、切断待機センサ３９により第２カッタ部３２が切断待機状態に戻ったことが検出されると、切断動作を終了する（Ｓ２０９）。
【００６３】
さらに印字部５０は、第２の切断工程の後に券紙２に印刷情報を印刷する第２印刷工程として、券紙２の先端部が印刷開始位置に到達すると、サーマルヘッド５１に所定の印加電圧を掛けることで、プラテンローラ５３による正搬送に同期した状態で、券紙２の表面に印刷情報を印刷する（Ｓ２１１）。発券装置１は、印字部５０による券紙２の表面への印刷が完了すると、印字部５０の正搬送の継続に加え、メイン搬送部６０の放出部９０方向への搬送駆動を開始する（Ｓ２１３）。そして、券紙２は、印字部５０からメイン搬送部６０へと受け渡される。この受け渡しが完了すると、印字部５０は正搬送駆動を停止する（Ｓ２１５）。
【００６４】
ロール紙２ａ側の券紙２は、印字部５０による印字完了までは、第２フィード部２２により停止状態で保持され、第２カッタ部３２が切断待機状態であることを前提に、Ｓ２１３の券紙２のメイン搬送部６０への受け渡しの際に、第２フィード部２２により所定の待機位置（図４参照）まで正搬送される（Ｓ２１７）。そして第２フィード部２２は、券紙２を所定の待機位置まで正搬送した後停止する。
【００６５】
券紙２を受け取ったメイン搬送部６０は、搬送ベルト６５に券紙２を挟持して放出部９０方向へ搬送する。券紙２は、メイン搬送部６０により搬送されているときに、ターン８０を通過し、磁気処理部７０の書込用磁気ヘッド７１で磁気情報が書き込まれ、さらに読取用磁気ヘッド７２で書き込まれた磁気情報を読み込んで、書き込まれた磁気情報が正しいことが確認される（Ｓ２１９）。そしてメイン搬送部６０は、さらに券紙２を搬送して放出部９０に受け渡す。券紙２を受け渡された放出部９０は、受皿９２に券紙２を放出する（Ｓ２２１）。これで、中型券３ｂの発券が完了する。そして、発券装置１は、メイン搬送部６０の搬送駆動を停止し、発券待機の状態に戻る（Ｓ２２３）。
【００６６】
図１２を参照して、発券する券が大型券３ｃであると判定された場合の動作について説明する。Ｓ３で大型券３ｃであると判定された場合には（図９のＳ３がＹ）、発券装置１は、券紙２を長手方向の第1の向きに搬送する第３搬送工程として、券紙２を第２フィード部２２及び印字部５０により正搬送する（Ｓ３０１）。そして、印字部５０は、第３搬送工程中に券紙２に印刷情報を印刷する第３印刷工程として、券紙２の先端部が印刷開始位置に到達すると、サーマルヘッド５１に所定の印加電圧を掛けることで、第２フィード部２２及びプラテンローラ５３による正搬送に同期した状態で、券紙２の表面に印刷情報を印刷する（Ｓ３０２）。
【００６７】
発券装置１は、印字部５０による券紙２の表面への印刷が完了すると、券紙２の第２フィード部２２及び印字部５０による正搬送を停止する（Ｓ３０３）。そして、第３印刷工程の後に券紙２を長手方向の第１の向きと逆の第２の向きに搬送する逆向搬送工程として、発券装置１は、券紙２の先端部が第２の切断位置Ｃ２（図４参照）まで、券紙２を第２フィード部２２及び印字部５０により逆搬送する（Ｓ３０５）。このとき、券紙２を第２フィード部２２及び印字部５０により逆搬送することで、券紙２にこの逆搬送した分のたるみが発生したとしても、テンションローラ１２によりこのたるみが吸収されるので問題は発生しない。
【００６８】
発券装置１は、券紙２の先端部が第２の切断位置Ｃ２に到達すると、第２フィード部２２及び印字部５０の逆搬送を停止する（Ｓ３０７）。即ち、券紙２の逆搬送が停止する。券紙２の逆搬送を停止すると、逆向搬送工程の後に券紙２を長手方向の第１の所定の長さ及び第２の所定の長さと異なる第３の所定の長さに切断する第３切断工程として、発券装置１は、第１カッタ部３１により券紙２の切断を開始する（Ｓ３０９）。そして券紙２の切断が終了し、第１カッタ部３１の切断完了センサ３８（図７参照）により第１カッタ部３１の切断完了状態が検出される（Ｓ３１１）。第１カッタ部３１の切断完了状態が検出されると、印字部５０による券紙２の正搬送を開始する。また、第１カッタ部３１の切断動作は、そのまま継続され、切断待機センサ３９（図７参照）により第１カッタ部３１が切断待機状態に戻ったことが検出されると、切断動作を終了する（Ｓ３１３）。
【００６９】
さらに、発券装置１は、印字部５０の正搬送の継続に加え、メイン搬送部６０の放出部９０方向への搬送駆動を開始する（Ｓ３１５）。そして、券紙２は、印字部５０からメイン搬送部６０へと受け渡される。この受け渡しが完了すると、印字部５０は正搬送駆動を停止する（Ｓ３１７）。
【００７０】
ロール紙２ａ側の券紙２は、第２フィード部２２により停止状態で保持され、第１カッタ部３１が切断待機状態であることを前提に、Ｓ３１７の券紙２のメイン搬送部６０への受け渡しの際に、第２フィード部２２により所定の待機位置（図４参照）まで正搬送される（Ｓ３１９）。そして第２フィード部２２は、券紙２を所定の待機位置まで正搬送した後停止する。
【００７１】
券紙２を受け取ったメイン搬送部６０は、搬送ベルト６５に券紙２を挟持して放出部９０方向へ搬送する。券紙２は、メイン搬送部６０により搬送されているときに、ターン８０を通過し、磁気処理部７０の書込用磁気ヘッド７１で磁気情報が書き込まれ、さらに読取用磁気ヘッド７２で書き込まれた磁気情報を読み込んで、書き込まれた磁気情報が正しいことが確認される（Ｓ３２１）。そしてメイン搬送部６０は、さらに券紙２を搬送して放出部９０に受け渡す。券紙２を受け渡された放出部９０は、受皿９２に券紙２を放出する（Ｓ３２３）。これで、大型券３ｃの発券が完了する。そして、発券装置１は、メイン搬送部６０の搬送駆動を停止し、発券待機の状態に戻る（Ｓ３２５）。
【００７２】
以上では、発券装置１は、切断部３０が第１カッタ部３１と、第２カッタ部３２との２つのカッタを備える場合で説明したが、カッタを１つだけ備えるように構成してもよい。この場合には、例えば、第１のカッタ部３１だけを設置し、小型券３ａと大型券３ｃは、上述したように発券し、中型券３ｂは、上述の大型券３ｃと同様に、印字部５０による搬送、印刷後に逆搬送を行い、第１カッタ部３１により中型券３ｂの長さに切断するようにするとよい。このようにすることで、発券装置１はさらに小型化することができる。
【００７３】
ここで、図１３の模式的正面図を参照して、別の実施の形態であるロール紙２ａを２巻装填できる保持部１００について説明する。保持部１００は、ロール紙２ａと、ロール紙２ｂとが装填されている。また、保持部１００は、図１の保持部１０に保持部１１０ａがおよそ重なる位置になるように配置するとよい。ロール紙２ａ、２ｂは、保持部１００ａ、１００ｂ（図中、一部破線にて表示）に保持され、保持部１００ａ、１００ｂは、それぞれ保持板１１０ａ、１１０ｂ（図中、一部破線にて表示）と、保持板１１０ａ、１１０ｂに取り付けられた支持軸１１１ａ、１１１ｂとを含んで構成される。ロール紙２ａ、２ｂは、支持軸１１１ａ、１１１ｂ上に回転可能に保持されて、図中鉛直方向上下２段に１個ずつ配置されている。この状態でロール紙２ａの裏面とロール紙２ｂの表面は互いに対向して配置されている。ロール紙２ａは図中上側に配置され、ロール紙２ｂは図中下側に配置されている。保持部１００ａ、１００ｂは、ロール紙２ａ、２ｂを保持した状態で、発券装置１（図１参照）からＸ１、Ｘ２方向（水平方向）にそれぞれ引き出しが可能である。
【００７４】
ロール紙２ａ、２ｂは、ロール形状の部分から券紙２が巻き戻されて分離するにしたがって、図中それぞれＹ１、Ｙ２方向に回転する。ロール紙２ａ、２ｂから分離した帯状の券紙２は、図中保持板１１０ａ、１１０ｂの左端に取り付けられたガイドローラ１１３ａ、１１３ｂ、１１４ａ、１１４ｂを通り移動方向を変えて案内される。さらに券紙２は、図中保持板１１０ａ、１１０ｂの右端に取り付けられたテンションローラ１１６ａ、１１６ｂ、１１７ａ、１１７ｂを通ってそれぞれ移動方向を変えて案内され、図中左水平方向にそれぞれ繰り出されて移動し、第１フィード部１０４に向かう。ロール紙２ｂの券紙２は、ガイドローラ１１４ｂを通過した後、ロール紙２ｂの外周部に接触し、テンションローラ１１６ｂへ向かう。券紙２は、テンションローラ１１７ａ、１１７ｂを出た後、第１フィード部１０４に向かって略水平方向に移動している状態で、共に表面が上、裏面が下の状態になる。また、テンションローラ１１６ａ、１１６ｂ、１１７ａ、１１７ｂは、図８を参照して説明したテンションローラ１２と同様なものを用いる。
【００７５】
図中、ロール紙２ａ、２ｂは新しく取り付けた直後の状態のものを実線にて示す。ロール紙２ａ、２ｂから券紙２が分離されて使用され、径が小さくなった状態のロール紙を図中、ロール紙２ａ’、２ｂ’として二点鎖線にて示す。
【００７６】
ガイドローラ１１３ａ、１１３ｂとガイドローラ１１４ａ、１１４ｂとの間に、券紙２の有無を検出するためのセンサ１１５ａ、１１５ｂが配置されている。センサ１１５ａ、１１５ｂは、装填されたロール紙２ａ、２ｂが使い切る直前の状態であることを検出するために用いられ、保持板１１０ａ、１１０ｂに取り付けられている。
【００７７】
第１フィード部１０４は、保持部１００ａ、１００ｂに保持された上下のロール紙２ａ、２ｂの中間位置に配置されており、券紙２は第１フィード部１０４に入る際、テンションローラ１１６ａ、１１６ｂを出た直後、テンションローラ１１７ａ、１１７ｂによって水平方向に方向を変えられる。券紙２は、第１フィード部１０４を通過するまでほぼこの方向に繰り出される。
【００７８】
第１フィード部１０４は、上下２段に配置された上部第１フィード１０４ａと下部第１フィード部１０４ｂとから構成される。上部第１フィード部１０４ａと下部第１フィード部１０４ｂとは、それぞれ補充フィードローラ１１８ａ、１１８ｂを含み、さらにこの補充フィードローラ１１８ａ、１１８ｂに押し付けられて接触し、この補充フィードローラ１１８ａ、１１８ｂとの間に券紙２を挟むよう配置された自由ローラ１１９ａ、１１９ｂ、補充フィードローラ１１８ａ、１１８ｂの上流側に取り付けられた券紙２を検出する位置センサ１３４ａ、１３４ｂ、補充フィードローラ１１８ａ、１１８ｂの下流側に取り付けられた券紙２を検出する位置センサ１３５ａ、１３５ｂとを含んで構成される。
【００７９】
ロール紙２ａからの券紙２は、上部第１フィード部１０４ａによって搬送され、ロール紙２ｂからの券紙２は、下部第１フィード部１０４ｂによって搬送される。ロール紙２ａからの券紙２は、上部第１フィード部１０４ａを通過する前に、ガイドローラ１２０、ガイドローラ１２１によって、図中上側にシフトされる。補充フィードローラ１１８ａ、１１８ｂは、不図示の駆動機構によりどちらか一方が駆動され、同時に駆動されることはない。
【００８０】
また、券紙２が共にない状態では、第１フィード部１０４は、上部第１フィード部１０４ａと下部第１フィード部１０４ｂのうち、最初に券紙２の先端部が挿入された方を作動し、第２フィード部２２（図１参照）まで券紙２を搬送する。例えば、最初に上部第１フィード部１０４ａへ券紙２が挿入された場合には、挿入された券紙２の先端部を位置センサ１３４ａが検出する。そして位置センサ１３４ａの検出により、補充フィードローラ１１８ａは、自由ローラ１１９ａとに券紙２を挟み込んで第２フィード部２２まで搬送する。次に、下部第１フィード部１０４ｂに券紙２が挿入された場合には、挿入された券紙２の先端部を位置センサ１３４ｂが検出する。そして位置センサ１３４ｂの検出により、補充フィードローラ１１８ｂは、自由ローラ１１９ｂとに券紙２を挟み込んで、位置センサ１３５ｂに先端部が検出されるまで搬送し、その状態で待機する。また、補充フィードローラ１１８ｂと自由ローラ１１９ｂに挟み込まれた状態で待機している券紙２は、ロール紙２ａが無くなった際に、下部第１フィード部１０４ｂにより、第２フィード部２２まで搬送される。
【００８１】
第１フィード部１０４から搬送された券紙２のいずれか一方を、次段まで搬送方向を変えてガイドするガイドローラ１２３が、第１フィード部１０４の直下流に配置されている。さらにガイドローラ１２３の直下流には第２フィード部２２（図１参照）が配置されている。なお、券紙２が上部第１フィード部１０４ａを通過する間、下部第１フィード部１０４ｂを通過する券紙２に平行になるようガイドするさらにもう一つのガイドローラ１２２が、上部第１フィード部１０４ａの下流側、ガイドローラ１２３の上流側に配置されている。
【００８２】
このように、発券装置１は、保持部１００を用いることで、１つのロール紙からの券紙が無くなってしまっても、別のロール紙から自動的に券紙を供給できるので、運用効率が向上する。
【００８３】
以上のように本実施の形態の発券装置１は、小型券３ａ、中型券３ｂ、大型券３ｃの３券種を第１カッタ部３１と、第２カッタ部３２との２つのカッタで発券できる。即ち、発券する券種の数より少ないカッタで、各券種を得ることができる。これにより、発券装置１は、部品点数を少なくすることができるので、小型化することができる。また、各部品の配置間隔も縮小化できるので小型化できる。さらに、発券装置１は、実用上で比較的発券する枚数の多い、小型券３ａ、中型券３ｂについて、それぞれ対応する第１カッタ部３１、第２カッタ部３２を備えることで、これらの発券を円滑に行うことができ、運用効率が高い。
【００８４】
また、大型券３ｃを発券する場合には、印字部５０による印刷情報の印刷後に第２フィード部２２により逆搬送し、第１カッタ部３１により大型券３ｃの長さに切断することで、印刷ズレが発生しにくく、券紙２に対して確実かつ鮮明に印刷情報を印刷できる。さらに、印刷後に逆搬送して切断することで、例えば、印刷の前に切断してから逆搬送した場合に、大型券３ｃの後端が切断後の券紙２の先端部にぶつかることをさけるために、大型券３ｃの後端を搬送経路から逃がす手段も必要なく、単純に構成できる。また、券紙２を第２フィード部２２及び印字部５０により逆搬送することで、券紙２にこの逆搬送した分のたるみが発生したとしても、テンションローラ１２によりこのたるみが吸収されるので問題は発生しないので、確実な発券動作が行える。
【００８５】
さらに、発券装置１は、印字部５０のプラテンローラ駆動モータ５４にパルスモータを用いた場合には、券紙２の先端部が第２の切断位置Ｃ２の位置にあることを、券紙２の送り量から検出できるので、小型券３ａの長さより長い任意の長さを有した券を発券することができる。即ち、小型券３ａ、中型券３ｂ、大型券３ｃに加え、これらとは異なる複数の長さを有した券を容易に発券できる。
【００８６】
さらに、発券装置１は、券紙２の先端部をサーマルヘッド５１とプラテンローラ５３との間に挟み込まない状態で待機することで、券紙２の先端部をサーマルヘッド５１とプラテンローラ５３との間に挟み込んだ状態で待機することにより発生する券紙２の先端部の変形をなくすことができ、例えば券紙２の先端部の変形による搬送中の不具合をなくすことができことで、信頼性を高めることができる。
【００８７】
また、発券装置１は、切断部３０の切断検知手段３８により券紙２の切断が検知されることで印刷搬送部５２による切断された券紙２の搬送を印字部５０により開始するので、券紙２の切断を検知したときに、印刷手段５０による搬送を開始することができ、発券にかかる時間を短縮できることで、発券装置１を高速化できる。さらに発券装置１は、第１カッタ部３１と、第２カッタ部３２とを、刃を回転させることにより券紙２を切断するように構成したので、刃を小型にでき、また動作機構を単純化できるので、発券装置１を小型化及び単純化できる。
【００８８】
以上、本発明をその実施の形態に基づいて具体的に説明してきた。しかし、本発明は、上記実施の形態に限定されるものではない。様々な変形を加えることができる。例えば、発券装置１が、少なくとも各印刷工程の前に、第１から第３の搬送工程の処理を行っているが、これらの搬送工程を省略したものであっても良い。このようにすると、搬送速度を重視する発券装置には有用なものとなる。
【００８９】
【発明の効果】
以上のように本発明に係る発券装置によれば、長尺の券紙を所定の長さに切断し、印刷情報を印刷して発券する発券装置において、前記券紙を長手方向の第１の向き及び前記第１の向きと逆の第２の向きに搬送する搬送手段と、前記券紙に印刷情報を印刷する印刷手段と、前記券紙を前記長手方向の所定の長さに切断する切断手段とを備え、前記搬送手段により前記第１の向きに搬送される前記券紙を前記切断手段により切断したのち、前記印刷手段により印刷するように構成され、前記搬送手段により前記第１の向きに搬送される前記券紙に前記印刷手段により印刷したのち、前記搬送手段により前記第２の向きに搬送し、前記切断手段により前記券紙を前記所定の長さと異なる長さに切断するように構成されているので、複数の大きさの券類を発券できるだけでなく、小型である発券装置を提供することができる。
【図面の簡単な説明】
【図１】本発明の実施の形態に係る発券装置の構成を示す模式的正面図である。
【図２】本発明の実施の形態に係る券紙を説明する（ａ）斜視図、（ｂ）平面図、（ｃ）裏面図である。
【図３】本発明の実施の形態に係る発券される券を説明する（ａ）小型券の平面図、（ｂ）中型券の平面図、（ｃ）大型券の平面図である。
【図４】本発明の実施の形態に係る切断部を説明する正面図である。
【図５】図４の切断部のカッタを説明する（ａ）切断待機状態を示す斜視図、（ｂ）切断状態を示す斜視図である。
【図６】図５のカッタの回転刃を説明する（ａ）斜視図、（ｂ）側面図、（ｃ）Ａ−Ａ’断面図である。
【図７】図４の切断部の第１カッタ部を説明する（ａ）切断待機状態を示す裏面図、（ｂ）切断状態を示す裏面図である。
【図８】本発明の実施の形態に係るテンションローラを説明する模式図である。
【図９】本発明の実施の形態に係る発券装置の作用を説明するフロー図である。
【図１０】図９の場合での、発券装置の小型券を発券する作用を説明するフロー図である。
【図１１】図９の場合での、発券装置の中型券を発券する作用を説明するフロー図である。
【図１２】図９の場合での、発券装置の大型券を発券する作用を説明するフロー図である。
【図１３】本発明の実施の形態に係る保持部の別の態様を説明する模式的正面図である。
【符号の説明】
１    発券装置
２    券紙
２ａ    ロール紙
３ａ    小型券
３ｂ    中型券
３ｃ    大型券
１０    保持部
１２    テンションローラ
２０    フィード部
２１    第１フィード部
２２    第２フィード部
３０    切断部
３１    第１カッタ部
３２    第２カッタ部
３５    カッタ
３６    カッタ駆動モータ
３７    リンク機構
３８    切断完了センサ
３９    切断待機センサ
４１    回転刃
４２    固定刃
５０    印字部
５１    サーマルヘッド
５２    印刷搬送部
５３    プラテンローラ
６０    メイン搬送部
７０    磁気処理部
８０    ターン部
９０    放出部
９２    受皿
１００    保持部（２巻装填）
【図１】
0003959281.tif 000002
【図２】
0003959281.tif 000003
【図３】
0003959281.tif 000004
【図４】
0003959281.tif 000005
【図５】
0003959281.tif 000006
【図６】
0003959281.tif 000007
【図７】
0003959281.tif 000008
【図８】
0003959281.tif 000009
【図９】
0003959281.tif 000010
【図１０】
0003959281.tif 000011
【図１１】
0003959281.tif 000012
【図１２】
0003959281.tif 000013
【図１３】
0003959281.tif 000014